(57)【特許請求の範囲】
【請求項１】
車両の衝突時に曲がり変形する柱状のポール部と、該ポール部を立設支持するために路面に設置されるベース部とを備え、前記ポール部は、円筒状のポール本体と、該ポール本体の内側に配置された第１の補強パイプ及び第２の補強パイプと、該第１の補強パイプ及び第２の補強パイプの下部が上面に固着されると共に、前記ポール本体の下部内周面が外周面に固着される台座とを備え、前記ポール本体の下部が台座ごとベース部上面に形成された凹部に嵌入されている可倒式車止めであって、前記台座の上面に、第１の補強パイプの下部が挿入される第１の溝部と第２の補強パイプの下部が挿入される第２の溝部とが同心円状に連設されると共に、第１の溝部と第２の溝部とは深さが異なるように形成されていることを特徴とする可倒式車止め。
【請求項２】
前記第２の補強パイプは、前記ポール本体より短尺で、かつ前記第１の補強パイプより長尺であることを特徴とする請求項１に記載の可倒式車止め。
【請求項３】
前記第１の補強パイプ及び第２の補強パイプは、どちらも回転融着により前記台座の上面に固着されていることを特徴とする請求項１又は２に記載の可倒式車止め。
【請求項４】
前記ベース部上面に形成された凹部の内周面に縦溝が複数形成されると共に、ポール本体の下部外周面に前記縦溝に嵌入される凸部が設けられていることを特徴とする請求項１〜３のいずれか１項に記載の可倒式車止め。
【請求項５】
ポール本体の下部外周面に設けられた凸部は、ポール本体の下部外周面より台座の外周面に螺入されたボルトの頭部により形成されると共に、ベース部の凹部内周面に形成された縦溝の下部に横溝が連設され、もって、ポール本体の下部を台座ごとベース部上面の凹部に嵌入するに際して、前記ボルトの頭部を縦溝に挿入すると共に、ポール本体を回動させて前記頭部を横溝に位置させることができるようになされたことを特徴とする請求項４に記載の可倒式車止め。
【発明の詳細な説明】
【技術分野】
【０００１】
本発明は、例えば、道路の路側や公園や遊歩道、自転車道等の主として屋外で使用される弾性を有した可倒式車止めに関するものである。
【背景技術】
【０００２】
従来、車両の歩道への進入を物理的又は心理的に防止する可倒式車止めに関しては、数多くの発明がなされており、また強固な芯柱の周囲に弾性を有する合成樹脂を用いてカバーを形成し、車両のくい止め力を確保しつつ、車両や歩行者が衝突した場合の衝撃力を緩和する発明もまた種々なされている。
【０００３】
例えば、特許文献１には、弾性を有する合成樹脂製の中空外装体の中空部の途中まで剛性芯柱が挿入され、前記中空部の下部において前記剛性芯柱と外装体との間に外装保持体を介在させることによって外装体が剛性芯柱に一体的に保持され、中空部の上部には発泡弾性材が充填され、前記剛性芯柱の下部に固定部が設けられてなる弾性車止め支柱である可倒式車止めが開示されている。
【０００４】
これに対して、ポール部とベース部とをそれぞれ別体にて形成しそれらを組み立てる構成の道路標識柱も提案されている（下記特許文献２）。該公報所載の道路標識柱は、ポール部をベース部の溝に嵌合させたうえでリベットにより両者を締結するというものである。
【０００５】
また、少なくとも一端が開口されて開口部が設けられた柱状本体を備え、該開口部を用いて前記柱状本体に路面取付用のベース部が取付けられ、前記柱状本体の外面にガラスビーズが少なくとも一部分を露出されて埋設されたものであって、前記ベース部には前記開口部に嵌挿可能な嵌挿部が設けられ、該嵌挿部の外面と前記開口部の内面とを用いて前記柱状本体に前記ベース部が取付けられている高視認性道路用標示体であって、前記柱状本体及び前記ベース部は、各々が相溶性の熱可塑性合成樹脂を用いて形成され、前記嵌挿部の外面と前記開口部の内面とは回転融着により固着されている高視認性道路用標示体を本出願人は提案している（下記特許文献３）。
【先行技術文献】
【特許文献】
【０００６】
【特許文献１】特開２０００−２８２４２８号公報
【特許文献２】特開平１０−１０２４３８号公報
【特許文献３】特開２００６−９５６６号公報
【発明の概要】
【発明が解決しようとする課題】
【０００７】
しかしながら、上記従来の道路標識柱は、ポール部をベース部の溝に嵌合させた際にポール部の下端部に形成されたリベット孔とベース部に形成されたリベット孔とが一致するように、ポール部を回転させながらベース部に対する周方向の位置合わせを行う必要があり、組立の作業性の点で改善の余地があった。
【０００８】
また、上記従来の高視認性道路用標示体については、車両等に多数回踏み付けられると、柱状本体が直立状態から徐々に傾いた状態になるため、直立状態を保持しようとすると、何らかの補強部材を付設する必要があった。
【０００９】
本発明は、前記の如き課題を解消し、ポール部とベース部を組み立てる際の作業性を向上させることができると共に、補強部材が容易に付設でき、更にポール部とベース部との着脱を容易になすことができる可倒式車止めを提供せんとするものである。
【課題を解決するための手段】
【００１０】
上記目的を達成するために、本発明は次のような構成としている。
すなわち、本発明に係る可倒式車止めは、車両の衝突時に曲がり変形する柱状のポール部と、該ポール部を立設支持するために路面に設置されるベース部とを備え、前記ポール部は、円筒状のポール本体と、該ポール本体の内側に配置された第１の補強パイプ及び第２の補強パイプと、該第１の補強パイプ及び第２の補強パイプの下部が上面に固着されると共に、前記ポール本体の下部内周面が外周面に固着される台座とを備え、前記ポール本体の下部が台座ごとベース部上面に形成された凹部に嵌入されている可倒式車止めであって、前記台座の上面に、第１の補強パイプの下部が挿入される第１の溝部と第２の補強パイプの下部が挿入される第２の溝部とが同心円状に連設されると共に、第１の溝部と第２の溝部とは深さが異なるように形成されていることを特徴とするものである。
【００１１】
また、本発明に係る可倒式車止めは、前記第２の補強パイプを、前記ポール本体より短尺で、かつ前記第１の補強パイプより長尺となすことを特徴とするものである。
【００１３】
また、本発明に係る可倒式車止めは、前記第１の補強パイプ及び第２の補強パイプは、どちらも回転融着により前記台座の上面に固着されていることを特徴とするものである。
【００１４】
また、本発明に係る可倒式車止めは、前記ベース部上面に形成された凹部の内周面に縦溝が複数形成されると共に、ポール本体の下部外周面に前記縦溝に嵌入される凸部が設けられていることを特徴とするものである。
【００１５】
また、本発明に係る可倒式車止めは、ポール本体の下部外周面に設けられた凸部は、ポール本体の下部外周面より台座の外周面に螺入されたボルトの頭部により形成されると共に、ベース部の凹部内周面に形成された縦溝の下部に横溝が連設され、もって、ポール本体の下部を台座ごとベース部上面の凹部に嵌入するに際して、前記ボルトの頭部を縦溝に挿入すると共に、ポール本体を回動させて前記頭部を横溝に位置させることができるようになされたことを特徴とするものである。
【発明の効果】
【００１６】
本発明によれば、車両の衝突時に曲がり変形する柱状のポール部と、該ポール部を立設支持するために路面に設置されるベース部とを備え、前記ポール部は、円筒状のポール本体と、該ポール本体の内側に配置された第１の補強パイプ及び第２の補強パイプと、該第１の補強パイプ及び第２の補強パイプの下部が上面に固着されると共に、前記ポール本体の下部内周面が外周面に固着される台座とを備え、前記ポール本体の下部が台座ごとベース部上面に形成された凹部に嵌入されている可倒式車止めであって、前記台座の上面に、第１の補強パイプの下部が挿入される第１の溝部と第２の補強パイプの下部が挿入される第２の溝部とが同心円状に連設されると共に、第１の溝部と第２の溝部とは深さが異なるように形成されているので、２本の補強パイプによりポール部の強度向上が図れると共に、ポール部とベース部とを容易に着脱することができる。
【００１７】
また、本発明によれば、前記第２の補強パイプを、前記ポール本体より短尺で、かつ前記第１の補強パイプより長尺となしているため、車両等に踏み付けられて折れ曲がるポール部下部の補強を効率的に実施することができる。
【００１８】
また、本発明によれば、前記台座の上面に、第１の補強パイプの下部を挿入する第１の溝部と第２の補強パイプの下部を挿入する第２の溝部とを同心円状に連設すると共に、第１の溝部と第２の溝部とを深さが異なるように形成しているため、２本の補強パイプと台座とを融着固定する場合、まず初めに深さが深い方の溝部に一方の補強パイプを挿入して、該補強パイプと台座とを融着させて、次に深さが浅い方の溝部に他方の補強パイプを挿入して、該補強パイプと台座とを融着させれば、初めに融着する一方の補強パイプと台座との融着の際にたとえ融着バリが発生したとしても、次に融着する他方の補強パイプを挿入し融着する溝部が前記溝部より高い位置に位置しているため、前記融着バリに邪魔されることなく、他方の補強パイプと台座とを融着するすることができる。
【００１９】
また、本発明によれば、前記第１の補強パイプ及び第２の補強パイプを、どちらも回転融着により前記台座の上面に固着しているので、非常に効率的に２本の補強パイプと台座とを固着することができる。
【００２０】
また、本発明によれば、前記ベース部上面に形成された凹部の内周面に縦溝を複数形成すると共に、ポール本体の下部外周面に前記縦溝に嵌入する凸部を設けているため、ポール部とベース部との着脱を効率よく、かつ確実に実施することができ、好ましい。
【００２１】
また、本発明によれば、ポール本体の下部外周面に設けた凸部を、ポール本体の下部外周面より台座の外周面に螺入したボルトの頭部により形成すると共に、ベース部の凹部内周面に形成した縦溝の下部に横溝を連設し、もって、ポール本体の下部を台座ごとベース部上面の凹部に嵌入するに際して、前記ボルトの頭部を縦溝に挿入すると共に、ポール本体を回動させて前記頭部を横溝に位置することができるようになしているため、ポール本体と台座とを固定するためのボルトの頭部のみを用いて、他部材を用いることなく、ポール部とベース部とを固定することができると共に、ボルトの頭部を縦溝に挿入し、ポール本体を回動させて横溝にボルトの頭部を挿入するだけで、ポール部とベース部とを効率よく、かつ確実に固定することができる。
【図面の簡単な説明】
【００２２】
【図１】本発明に係る可倒式車止めの実施の一形態を示す正面図である。
【図２】図１に示す一実施形態の分解説明図である。
【図３】図１に示す一実施形態におけるキャップを除くポール部とベース部の断面図である。
【図４】図３の下部拡大図である。
【図５】図１に示す一実施形態における凸部と縦溝及び横溝の関係を説明する説明図である。
【発明を実施するための形態】
【００２３】
次に、本発明を実施するための最良の形態について図面を参照し、具体的に説明する。
本発明に係る可倒式車止めＰは、道路の路側や公園や遊歩道、自転車道等の主として屋外で使用される弾性を有した可倒式車止めであって、車両の衝突時に曲がり変形する柱状のポール部１と、該ポール部１を立設支持するために路面１００に設置されるベース部２とを備える。
【００２４】
ポール部１は、円筒状のポール本体１１と、該ポール本体１１の内側に配置された第１の補強パイプ１２及び第２の補強パイプ１３と、該第１の補強パイプ１２及び第２の補強パイプ１３の下部が上面に固着されると共に、前記ポール本体１１の下部内周面１１１がその外周面１４１に固着される台座１４とを備え、前記ポール本体１１の下部が台座１４ごとベース部２上面に形成された凹部２１に嵌入されている。
【００２５】
ポール本体１１は、上端下端共に開口する直線状の円筒体であって、その上端開口にはキャップＣが装着され、その外周面には再帰反射性を有するガラスビーズが間隔をあけて一直線上に配置された反射体Ｓが装着されて、ポール本体１１の上部には反射テープＨが２段に巻着されている。また、第１の補強パイプ１２及び第２の補強パイプ１３も上端下端共に開口する直線状の円筒体であり、第２の補強パイプ１３は、ポール本体１１より短尺で、かつ第１の補強パイプ１２より長尺となるように形成されている。
【００２６】
ポール本体１１、第１の補強パイプ１２及び第２の補強パイプ１３は、車両衝突時に曲がり変形してその衝撃を吸収することが必要であって、衝突後に元の起立状態に弾性復元することも必要である。従って、材質は柔軟なものであることが必要であり、例えば、熱可塑性ポリウレタン等の柔軟な合成樹脂から中空押し出し成形や射出成形により形成される。
【００２７】
また、ポール本体１１の下部には、その下部外周面１１２に径方向外方に所定量突出するように凸部１５が設けられている。該凸部１５は、周方向に間隔をおいて複数設けられており、具体的には、それぞれの凸部１５はポール本体１１の軸線方向の位置が同一であって、互いに周方向に９０°の間隔をおいて合計４個設けられている。
【００２８】
この凸部１５は、ポール本体１１の下部外周面１１２より台座１４の外周面１４１に９０°間隔で合計４個螺入されたボルト１６の頭部により形成されて、該ボルト１６がポール本体１１と台座１４との離脱を防止する役目も兼ねている。勿論、ポール本体１１の下部外周面１１２に９０°間隔で合計４ヶ所横孔を形成し、各横孔にピンを圧入することによって形成してもよい。
【００２９】
一方、ベース部２は、平面視円形であって上方ほど小径に形成されており、その上面にはポール本体１１の下部が台座１４ごと嵌入される凹部２１が形成されている。そして、凹部２１の内周面２１１には上下方向に伸びる縦溝２２が４個形成されている。該縦溝２２には前記ポール本体１１の下部外周面１１２に設けられた凸部１５が上方から挿入し係合するので、凸部の個数、配置態様に合わせて、９０°間隔で合計４個形成されているのである。そして、各縦溝２２の下部側には、そこから周方向に伸びる横溝２３が連設されている。該横溝２３は何れも縦溝２２から同一の方向に向けて伸びている。尚、縦溝２２や横溝２３を溝状ではなくベース部２の側方に貫通する構成、即ち、スリット状若しくは孔状としてもよい。また、ベース部２には側方に開口するネジ止め用孔２４が形成されている。
【００３０】
このようなベース部２は、例えば射出成形により形成され、その材質としてはポール部１よりも硬質の合成樹脂、例えば、ＡＢＳ樹脂、ＡＡＳ樹脂、ポリカーボネート樹脂が採用できる。
【００３１】
以上のように構成された可倒式車止めＰは、路面１００に種々の公知の手法によってベース部２を固定し、その後、ポール本体１１の下部を台座１４ごと上方からベース部２上面の凹部２１に嵌入するのであるが、その際、ポール本体１１の下部外周面１１２に設けられたボルト１６の頭部で形成された凸部１５を、ベース部２の縦溝２２に挿入するようにする。そして、そのポール本体１１を回動させると凸部１５が縦溝２２から横溝２３へと進入し（図５参照）、それによってポール部１が上方に抜けることがなくなる。しかる後、２ヶ所のネジ止め用孔２４を利用して、該ネジ止め用孔２４からタッピングビス３をポール部１に螺入して、ポール部１をベース部２に固着して組立が完了する。また、ポール部１が破損するなどしてその交換が必要となった場合には、２ヶ所のネジを外し、ポール部１を反時計回りに回転させて凸部１５を横溝２３から縦溝２２に移行させればポール部１を凹部２１から上方に抜くことができる。
【００３２】
このように、ポール部１の上方からの差し込み作業と回転作業という簡単な作業でポール部１をベース部２に取付けることができると共に、ポール部１の上方への抜けが防止できるので、現場で容易に可倒式車止めＰを組み立てることができる。しかも、ポール部１をベース部２に取付けたうえで更にネジ止め用孔２４を使用してネジ止めすることによって確実にポール部１をベース部２に固定することができる。更にポール交換の際には、ネジを外してポール部１を逆側に回転させて上方に抜くことで容易に交換することができる。
【００３３】
なお、凸部１５をポール部１に一体に形成してもよいが、上述したようにピンやネジ等によって別体に構成することにより、既存のポール本体１１の製造設備がそのまま利用でき、後加工によって凸部１５をポール本体１１に形成することができる。
【００３４】
次に、ポール部１の下部構造について説明する。
ポール本体１１の下部内周面１１１がその外周面１４１に固着される台座１４は、その上面に第１の補強パイプ１２の下部が挿入される第１の溝部１４２と第２の補強パイプ１３の下部が挿入される第２の溝部１４３とが同心円状に連設されると共に、第１の溝部１４２と第２の溝部１４３とがその深さが異なるように形成されている。具体的には、第１の補強パイプ１２の下部が挿入される第１の溝部１４２が、第２の補強パイプ１３の下部が挿入される第２の溝部１４３より深くなるように形成されている。
【００３５】
そして、第１の補強パイプ１２及び第２の補強パイプ１３は、どちらも回転融着により台座１４の上面に形成された第１の溝部１４２と第２の溝部１４３とにそれぞれ固着されている。まず、第１の補強パイプ１２を台座１４上面の外側に設けられた深さの深いの第１の溝部１４２に回転融着により固着させ、次いで第２の補強パイプ１３をその内側に設けられた深さの浅いの第２の溝部１４３に回転融着により固着させるのである。
【００３６】
かようにすることで、第１の補強パイプ１２を第１の溝部１４２に回転融着させた時、合成樹脂の溶融バリが溝内に多少はみ出したとしても、第１の溝部１４２の深さが第２の溝部１４３の深さより深いため、はみ出した溶融バリは第２の溝部１４３に進入することがなく、よって第２の補強パイプ１３を第２の溝部１４３に回転融着する際、第２の補強パイプ１３を第２の溝部１４３に挿入する空間を確保することができ、第２の補強パイプ１３を第２の溝部１４３に確実に固着することができるのである。また、第１の溝部１４２及び第２の溝部１４３の底面には溶着を確認するための貫通孔１４５、１４６がそれぞれの溝部に間隔をあけて複数形成されている。
【００３７】
また、上述の如く、第１の補強パイプ１２と第２の補強パイプ１３とを、深さの異なる第１の溝部１４２と第２の溝部１４３とにそれぞれ回転融着により固着させて、ポール本体１１は台座１４の外周面１４１にボルト１６を螺入して固着されており、それぞれ固着されている位置の高さが異なるため、車両の衝突等、横方向から外力が加わった際にも、その応力を分散させることができるため、従来の可倒式車止めに比べ、強度を向上させることができると共に、長期にわたる使用に耐え得るものとなすことができる。
【００３８】
台座１４の上端部は曲面状に面取りされた面取り部１４７が形成されており、これによって柔軟なポール本体１１への挿入作業が容易となる。更には、台座１４は装着状態においてポール部１から下方に突出する構成となっており、台座１４の下端部の外周面に形成された鍔部１４４がストッパ部となりポール本体１１の下面に当接することによって、それ以上の台座１４の挿入が阻止され、自動的に台座１４の取付位置が決定される。尚、鍔部１４４は全周に形成しているが、周方向に間隔をおいて複数箇所に形成してもよい。
【産業上の利用可能性】
【００３９】
本発明によれば、車両の衝突時に曲がり変形する柱状のポール部と、該ポール部を立設支持するために路面に設置されるベース部とを備え、前記ポール部は、円筒状のポール本体と、該ポール本体の内側に配置された第１の補強パイプ及び第２の補強パイプと、該第１の補強パイプ及び第２の補強パイプの下部が上面に固着されると共に、前記ポール本体の下部内周面が外周面に固着される台座とを備え、前記ポール本体の下部を台座ごとベース部上面に形成した凹部に嵌入させているので、２本の補強パイプによりポール部の強度向上が図れると共に、ポール部とベース部とを容易に着脱することができる可倒式車止めに好適に利用できる。
【符号の説明】
【００４０】
１      ポール部
１１    ポール本体
１１１  下部内周面
１１２  下部外周面
１２    第１の補強パイプ
１３    第２の補強パイプ
１４    台座
１４１  外周面
１４２  第１の溝部
１４３  第２の溝部
１４４  鍔部
１４５  貫通孔
１４６  貫通孔
１４７  面取り部
１５    凸部
１６    ボルト
２      ベース部
２１    凹部
２１１  内周面
２２    縦溝
２３    横溝
２４    ネジ止め用孔
３      タッピングビス
１００  路面
Ｐ      可倒式車止め
【図１】
0005519989.tif 000002
【図２】
0005519989.tif 000003
【図３】
0005519989.tif 000004
【図４】
0005519989.tif 000005
【図５】
0005519989.tif 000006